(57)【特許請求の範囲】
【請求項１】
巻付軸に巻き付けられたシャッターカーテンを収容するシャッターボックスと、
前記巻付軸の軸方向における両端側で躯体に固定され、見込み方向に沿う見込壁部および前記見込壁部より前記躯体側に位置し前記見込み方向と交差する交差壁部を有するアルミニウム製の一対の躯体固定部材と、
前記シャッターボックスを前記躯体固定部材に取り付ける取付部材と、
を有し、
前記取付部材は、前記シャッターボックスが固定されるシャッターボックス固定部と、前記見込壁部に固定される見込壁固定部と、前記交差壁部に固定される交差壁固定部と、
を有し、
前記躯体固定部材は、中空部を有しており、
前記取付部材は、前記中空部の内側に配置される内部材と前記中空部の外側に配置される外部材とを有し、
前記外部材は、前記シャッターボックス固定部を有するとともに前記見込壁部に当接され、
前記内部材は、前記見込壁固定部と前記交差壁固定部とを有し、前記見込壁部を挟んで配置される前記外部材が前記見込壁固定部に固定されることを特徴とするシャッター。
【請求項２】
請求項１に記載のシャッターであって、
前記交差壁部には、前記内部材の前記交差壁固定部とともに前記中空部の外側に補強部材が固定されていることを特徴とするシャッター。
【請求項３】
請求項１または請求項２に記載のシャッターであって、
前記内部材は、前記中空部の上端縁と上下方向に対向する対向部を有していることを特徴とするシャッター。
【請求項４】
請求項２に記載のシャッターであって、
前記シャッターボックスの下に位置して前記一対の躯体固定部材間を連結する下部材と、
前記躯体固定部材の上端部間を繋ぐ上部材と、
前記一対の躯体固定部材、前記下部材および前記上部材により囲まれた開口を覆う背板と、を備え、
前記補強部材は、前記交差壁部より前記一対の躯体固定部材の間の中央側に突出する突出部を有し、
前記突出部に前記背板が固定されることを特徴とするシャッター。
【請求項５】
請求項１乃至請求項４のいずれかに記載のシャッターであって、
前記取付部材は、鉄製、或いは、アルミニウムよりも耐火性に優れた金属製であることを特徴とするシャッター。
【発明の詳細な説明】
【技術分野】
【０００１】
本発明は、アルミニウム製の躯体固定部材の上部に、巻付軸に巻き付けられたシャッターカーテンが支持されるシャッターに関する。
【背景技術】
【０００２】
アルミニウム製の躯体固定部材の上部に、巻付軸に巻き付けられたシャッターカーテンが支持されるシャッターとしては、たとえば、シャッターカーテンが巻装された巻き取りホイールを回動自在に軸支する巻取り軸の左右両端部が一体的に止着された鋼製の取付けブラケットが、窓開口部に取り付けられるアルミニウム製の左右一対の窓縦枠の延長上端部に一体的に止着された窓用シャッターが知られている（例えば、特許文献１参照）。
【０００３】
取付けブラケットは、鋼製板材を折曲形成されており、窓縦枠延長上端部の内方側辺に沿う状態で積層状に設けられるブラケット本体と、該ブラケット本体の屋外側端縁の上下に設けられブラケット本体に対して略９０度外方に向けて折曲されて窓縦枠屋外側辺に沿うように形成される支持片とで窓縦枠に取り付けられている。
【先行技術文献】
【特許文献】
【０００４】
【特許文献１】特許３３２６５１５号公報
【発明の概要】
【発明が解決しようとする課題】
【０００５】
シャッターカーテンおよびシャッターカーテンが巻装された巻き取りホイールが取付けブラケットを介して取り付けられ、シャッターカーテンおよび巻き取りホイールの大きな重量を支持している窓縦枠は、アルミニウム製なので火災等により火炎に晒されると溶融しやすい。窓縦枠が溶融し始めて軟化すると、シャッターカーテンおよび巻き取りホイールを支持しきれずにシャッターカーテンおよび巻き取りホイールが建物等から離れる方向に垂れて脱落する虞がある。このため、取付けブラケットは躯体に直接固定されることが望ましい。しかしながら、取付けブラケットの固定位置に躯体が存在するとは限らず、躯体が存在しない場合には、補助柱等を別途設けなければならず、施工が煩雑であるという課題がある。
【０００６】
また、シャッターカーテンおよび巻き取りホイールが垂れる際にはシャッターカーテンおよび巻き取りホイールを囲む部材も垂れて建物等との間に隙間が生じ、隙間から露出する、例えば外壁内部の可燃部材が発炎する虞があるという課題がある。
本発明は、かかる課題に鑑みてなされたものであり、その目的とするところは、施工が容易で防火性に優れたシャッターを提供することにある。
【課題を解決するための手段】
【０００７】
かかる目的を達成するために本発明のシャッターは、巻付軸に巻き付けられたシャッターカーテンを収容するシャッターボックスと、前記巻付軸の軸方向における両端側で躯体に固定され、見込み方向に沿う見込壁部および前記見込壁部より前記躯体側に位置し前記見込み方向と交差する交差壁部を有するアルミニウム製の一対の躯体固定部材と、前記シャッターボックスを前記躯体固定部材に取り付ける取付部材と、を有し、前記取付部材は、前記シャッターボックスが固定されるシャッターボックス固定部と、前記見込壁部に固定される見込壁固定部と、前記交差壁部に固定される交差壁固定部と、を有し、前記躯体固定部材は、中空部を有しており、前記取付部材は、前記中空部の内側に配置される内部材と前記中空部の外側に配置される外部材とを有し、前記外部材は、前記シャッターボックス固定部を有するとともに前記見込壁部に当接され、前記内部材は、前記見込壁固定部と前記交差壁固定部とを有し、前記見込壁部を挟んで配置される前記外部材が前記見込壁固定部に固定されることを特徴とするシャッターである。
【０００８】
このようなシャッターによれば、シャッターボックスを躯体固定部材に固定する取付部材は、躯体固定部材の見込壁部のみならず見込面より躯体側に位置する交差壁部にも固定されるので、火炎に晒されてアルミニウム製の躯体固定部材が軟化したとしてもシャッターボックスが躯体から離れる方向に垂れて脱落することを抑制することができる。また、取付部材を躯体に固定しないので現場での作業が少なく、建物側に例えば補助柱等を設ける必要もないので施工性に優れている。このため、施工が容易で防火性に優れたシャッターを提供することにある。
【００１０】
また、内部材および外部材が躯体固定部材の見込壁部を挟んで固定される取付部材によりシャッターボックスが固定されるので、躯体固定部材において取付部材が固定される部位に火炎が直接、接し難くなり溶融することを抑制することができる。
【００１１】
かかるシャッターであって、前記交差壁部には、前記内部材の前記交差壁固定部とともに前記中空部の外側に補強部材が固定されていることが望ましい。
このようなシャッターによれば、交差壁部は内部材のみならず補強部材にも補強されるので、シャッターボックスの垂れを更に抑制することができる。
【００１２】
かかるシャッターであって、前記内部材は、前記中空部の上端縁と上下方向に対向する対向部を有していることが望ましい。
このようなシャッターによれば、外部材を介してシャッターボックスが取り付けられている内部材が一対の中空部の上端縁と上下方向に対向する対向部を有しているので、取付部材と躯体固定部材との固定部が損傷したとしても、対向部が中空部の上端縁に載置されることによりシャッターボックスを支持することができる。
【００１３】
かかるシャッターであって、前記シャッターボックスの下に位置して前記一対の躯体固定部材間を連結する下部材と、前記躯体固定部材の上端部間を繋ぐ上部材と、前記一対の躯体固定部材、前記下部材および前記上部材により囲まれた開口を覆う背板と、を備え、  前記補強部材は、前記交差壁部より前記一対の躯体固定部材の間の中央側に突出する突出部を有し、前記突出部に前記背板が固定されることが望ましい。
【００１４】
このようなシャッターによれば、一対の躯体固定部材、下部材および上部材により囲まれた開口を覆う背板は、内部材とともに交差壁部に固定される補強部材の、一対の躯体固定部材の中央側に突出する突出部に固定されるので、工場等により予めシャッターボックスや躯体固定部材等と一体に固定しておくことができる。このため、現場において背板を取り付ける必要がないので施工が容易である。また、背板を予め取り付けておくので、現場において取り付け忘れることを防止することができる。
【００１５】
かかるシャッターであって、前記取付部材は、鉄製、或いは、アルミニウムよりも耐火性に優れた金属製であることが望ましい。
このようなシャッターによれば、取付部材が、鉄製、或いは、アルミニウムよりも耐火性に優れた金属製なので、より防火性に優れたシャッターを提供することができる。
【発明の効果】
【００１６】
本発明によれば、施工が容易で防火性に優れたシャッターを提供することができる。
【図面の簡単な説明】
【００１７】
【図１】本実施形態に係るシャッターの縦断面図である。
【図２】本実施形態に係るシャッターの構成を示す斜視図である。
【図３】取付部材の構成を示す斜視図である。
【図４】本実施形態に係るシャッターの右側部分の横断面図である。
【図５】取付部材の第１変形例を示す横断面図である。
【図６】取付部材の第２変形例を示す横断面図である。
【発明を実施するための形態】
【００１８】
以下、本発明の一実施形態に係るシャッターについて図面を参照して説明する。
本実施形態のシャッター１は、図１に示すように、建物の躯体５に取り付けられる。
【００１９】
本実施形態のシャッター１は、図２に示すように、アルミニウム製のシャッター枠１０と、シャッター枠１０の上部に収容されるシャッターボックス２０と、シャッター枠１０に収容されたシャッターボックス２０の室外側に突出する部位の側部を覆うサイドキャップ２５と、シャッター枠１０に収容されたシャッターボックス２０の室外側を覆いサイドキャップ２５に固定される本体カバー２８と、シャッター枠１０が有するシャッター縦枠１１のシャッターボックス２０より下側に固定されて昇降するシャッターカーテン２１のガイドをなすガイドレール２７と、を有している。
【００２０】
以下の説明においては、シャッター１が建物等に取り付けられた状態を室外側から見たときに、上下となる方向を上下方向、左右となる方向を左右方向、室内外方向である奥行き方向を見込み方向として示す。シャッター１の各部位であっても、また、シャッター１を構成する各部材については単体の状態であっても、シャッター１が取り付けられた状態で上下方向、左右方向、見込み方向等となる方向にて方向を特定して説明する。
【００２１】
シャッターボックス２０は、室内外を仕切り鉄製の複数のスラットにて形成されたシャッターカーテン２１と、シャッターカーテン２１が巻き付けられた巻付軸２２（図１）と、巻付軸２２を回動自在に支持して収容するケース２３とを有している。このとき巻付軸２２の軸方向が左右方向に沿って配置されている。
【００２２】
ケース２３に収容されたシャッターカーテン２１の上に位置するケース２３の左右方向の両端部に、後述する取付部材３０の上取付部３５ｄおよび下取付部３５ｅに当接されて固定される上固定片２３ａおよび下固定片２３ｂ（図１）が設けられている。
【００２３】
シャッター枠１０は、躯体固定部材としての左右一対のシャッター縦枠１１と、一対のシャッター縦枠１１間に架け渡されシャッターボックス２０の下に位置する下部材としてのシャッター上枠１２と、一対のシャッター縦枠１１間に架け渡されたシャッター下枠１３と、一対のシャッター縦枠１１の上端に架け渡された上部材としてのルーフ板１４と、シャッターボックス２０をシャッター縦枠１１に固定する左右一対の取付部材３０と、左右のシャッター縦枠１１、シャッター上枠１２、ルーフ板１４により形成される空間の室内側開口１０ａを閉塞する背板としての閉塞板１５と、閉塞板１５を左右のシャッター縦枠１１に固定するための補強部材としての鉄製の当て板１６と、を有している。
【００２４】
ルーフ板１４、シャッター上枠１２、シャッター下枠１３は、一対のシャッター縦枠１１間に配置され、各々のシャッター縦枠１１の外側から互いに対向する内側に向かって進入するビスにより固定されている。
【００２５】
一対のシャッター縦枠１１、シャッター上枠１２、シャッター下枠１３およびルーフ板１４は、アルミニウム製の押出成形部材であり、取付部材３０及び閉塞板１５は、アルミニウムよりも融点が高い金属であり不燃性を有する例えば鉄で形成されている。以下の説明においては、一対のシャッター縦枠１１、シャッター下枠１３およびルーフ板１４に囲まれる空間側を内周側とし、反対側を外周側として説明する。
【００２６】
一対のシャッター縦枠１１、シャッター下枠１３及びルーフ板１４は、いずれも室内側の縁にシャッター枠１０の外周側に突出して躯体５と対面するヒレ部１１ａ、１３ａ、１４ａを有しており、ヒレ部１１ａ、１３ａ、１４ａを見込方向に貫通するビスにより躯体５に固定されている。また、シャッター上枠１２には室内側にシャッター上枠１２の上側の空間Ｓ側に延出された上枠延出片１２ａが設けられ、ルーフ板１４には室内側にシャッター上枠１２の上側の空間Ｓ側に延出されたルーフ延出片（不図示）が設けられている。
【００２７】
左右のシャッター縦枠１１およびシャッター縦枠１１にそれぞれ設けられる取付部材３０は、左右が反転した対称形状をなしている。このため、シャッター縦枠１１および取付部材３０については、右のシャッター縦枠１１側を例に挙げて説明し、左のシャッター縦枠１１側の説明を省略する。
【００２８】
右のシャッター縦枠１１は、図３、図４に示すように、左右方向において互いに間隔を隔てて対向し各々見込み方向に沿う見込面１１１ａ、１１２ａを有する内見込壁部１１１および外見込壁部１１２と、内見込壁部１１１および外見込壁部１１２の室外側の縁同士および室内側の縁同士をそれぞれ連結する室外連結部１１３および室内連結部１１４と、外見込壁部１１２が室内側に僅かに延出された縁から外周側に突出し躯体５と対面する前述したヒレ部１１ａと、外見込壁部１１２が室外側に延出された縁から内周側に突出し先端にガイドレール２７が係合される係合片１１２ａと、室外連結部１１３が内周側に延出されてその先端に設けられガイドレール２７が固定されるレール固定部１１３ａと、を有している。そして、内見込壁部１１１、外見込壁部１１２、室外連結部１１３および室内連結部１１４で囲まれた空間が、上下方向に沿って貫通する中空部１１ｂをなしている。ここで、中空部１１ｂを形成する内見込壁部１１１、外見込壁部１１２、室外連結部１１３および室内連結部１１４はほぼ直交して横断面形状が見込み方向に長い矩形状をなしており室外連結部１１３および室内連結部１１４は、見込面１１１ａと交差する交差面１１４ａを有する交差壁部に相当する。
【００２９】
取付部材３０は、シャッター縦枠１１が有する中空部１１ｂの内側に配置される内部材３１と、中空部１１ｂの外側に設けられる外部材３５とを有している。
【００３０】
内部材３１は、中空部１１ｂを形成する内見込壁部１１１、室外連結部１１３および室内連結部１１４の内面と各々対向する見込対向部３１ａ、室外対向部３１ｂおよび室内対向部３１ｃを有し、水平断面形状が、外周側が開放されたコ字状をなしている。見込対向部３１ａの上縁は内周側に延出されて上縁延出部３１ｄが設けられており、内部材３１が中空部１１ｂ内に配置されたときに、シャッター縦枠１１が有する中空部１１ｂの小口をなす、内見込壁部１１１の上端縁１１１ｂと上縁延出部３１ｄとが上下方向に対向するように設けられている。
【００３１】
見込対向部３１ａには、内見込壁部１１１を介して配置される外部材３５をビスＶ１により固定するためのビス孔３１ｅが設けられており、室内対向部３１ｃには、室内連結部１１４を介して配置される当て板１６をビスＶ２により固定するためのビス孔３１ｆが設けられている。ここで、見込対向部３１ａが見込壁固定部に相当し、室内対向部３１ｃが交差壁固定部に相当する。
【００３２】
外部材３５は、シャッター縦枠１１の内見込壁部１１１に当接される当接板部３５ａと、当接板部３５ａの上下の縁からそれぞれシャッター枠１０の内周側に延出されて水平面を形成する上延出部３５ｂ及び下延出部３５ｃとを有している。また、上延出部３５ｂの室外側の縁には、上方に延出されてシャッターボックス２０のケース２３が有する上固定片２３ａが当接されて固定される上取付部３５ｄが設けられ、下延出部３５ｃの室外側の縁には、下方に延出されてシャッターボックス２０のケース２３が有する下固定片２３ｂが当接されて固定される下取付部３５ｅが設けられている。ここで、上取付部３５ｄおよび下取付部３５ｅがシャッターボックス固定部に相当する。
【００３３】
当て板１６は、平板状をなしており、シャッター縦枠１１の室内連結部１１４に取り付けられた状態で、シャッター枠１０の一対のシャッター縦枠１１、シャッター上枠１２およびルーフ板１４により囲まれる空間Ｓの内周側に突出するように形成されている。当て板１６の室内連結部１１４より突出している当て板突出部１６ａには、閉塞板１５をビスＶ３により固定するためのビス孔１６ｂが設けられている。
【００３４】
当て板１６は、取り付けられた際にシャッター上枠１２およびルーフ板１４に設けられた上枠延出片１２ａおよびルーフ延出片と同一面をなすように形成されており、当て板１６と上枠延出片１２ａおよびルーフ延出片とで形成される室内側開口１０ａを閉塞するように閉塞板１５が室外側から取り付けられる。
【００３５】
本実施形態のシャッター枠１０は、まず、左右の取付部材３０を、それぞれ左右のシャッター縦枠１１に固定する。このとき、内部材３１の室内対向部３１ｃを室内連結部１１４の内面に当接させるとともに見込対向部３１ａを内見込壁部１１１の内面に当接させて中空部１１ｂ内に内部材３１を配置する。そして、内見込壁部１１１にシャッター枠１０の内周側から当接板部３５ａを当接させ、内見込壁部１１１と当接板部３５ａとを貫通するビスＶ１を内部材３１の見込対向部３１ａに設けられたビス孔３１ｅに螺合させて外部材３５を固定する。
【００３６】
次に、取付部材３０が固定された左右のシャッター縦枠１１間にシャッター上枠１２、シャッター下枠１３、ルーフ板１４をそれぞれ架け渡し、シャッター縦枠１１の外周側から内周側に進入するビスにより接合する。このとき、シャッター上枠１２の上枠延出片１２ａの上縁と、ルーフ板１４のルーフ延出片の下縁とが上下に対向する。
【００３７】
次に、シャッター枠１０の室内側からシャッター縦枠１１の室内連結部１１４に当て板１６を当接させて当て板１６と室内連結部１１４とを貫通するビスＶ２を内部材３１の室内対向部３１ｃに設けられたビス孔３１ｆに螺合させて当て板１６を固定する。当て板１６が取り付けられた状態で、左右の当て板１６と、シャッター上枠１２の上枠延出片１２ａと、ルーフ板１４のルーフ延出片とは、ほぼ同一平面をなしている。
【００３８】
次に、左右の当て板１６と、シャッター上枠１２の上枠延出片１２ａおよびルーフ板１４のルーフ延出片とにより形成される室内側開口１０ａを閉塞する閉塞板１５を室外側から閉塞板１５を貫通するビスＶ３を当て板１６のビス孔１６ｂに螺合させて取り付ける。
【００３９】
当て板１６に固定された閉塞板１５は、その周端部に、左右の当て板１６の縁との境界部分、シャッター上枠１２の上枠延出片１２ａおよびルーフ板１４のルーフ延出片との境界部分において、各々両者にまたがるように防水テープ（不図示）が全域に渡って貼り付けられる。シャッター枠１０は、防水テープまで貼り付けられた状態でユニット化されて、施工現場に搬送される。
【００４０】
施工現場では、ユニット化されたシャッター枠１０は、左右のシャッター縦枠１１、シャッター下枠１３およびルーフ板１４のヒレ部１１ａ、１３ａ、１４ａがビスにて躯体５に固定される。
【００４１】
その後、シャッター上枠１２の上側にシャッターボックス２０を装着して取付部材３０にビス止めし、サイドキャップ２５、本体カバー２８、左右のガイドレール２７を順次取り付けて施工が完了する。
【００４２】
本実施形態のシャッター１によれば、シャッターボックス２０をシャッター縦枠１１に固定する鉄製の取付部材３０は、見込面１１１ａを形成する内見込壁部１１１のみならず見込面１１１ａより躯体５側に位置する交差面１１４ａを形成する室内連結部１１４にも固定されるので、火炎に晒されてアルミニウム製のシャッター縦枠１１が軟化したとしてもシャッターボックス２０が躯体５から離れる方向に垂れて脱落することを抑制することができる。このとき、火元が室外側となる火災などの場合には、取付部材３０の室内連結部１１４に固定される室内対向部３１ｃは、内見込壁部１１１より躯体５側、すなわち内見込壁部１１１より火炎から遠い側に位置に固定されるので、内見込壁部１１１のみに固定されている場合よりシャッターボックス２０の垂れを抑制することができる。また、シャッターボックス２０は、躯体５に固定しないのでシャッター１を取り付ける現場での作業が少なくなり、補助柱等を設ける必要もないので施工性に優れている。このため、施工が容易で防火性に優れたシャッター１を提供することにある。
【００４３】
また、鉄製の内部材３１および外部材３５がシャッター縦枠１１の内見込壁部１１１を挟んで固定される取付部材３０によりシャッターボックス２０が固定されるので、シャッター縦枠１１において取付部材３０が固定される部位が火炎等により溶融することを抑制することができる。また、火元が室外側となる火災などの場合には、取付部材３０が有する内部材３１は、室内対向部３１ｃが中空部１１ｂ内から交差面１１４ａに当接されて室内連結部１１４に固定され、火炎と室内連結部１１４との間に配置される。このため、シャッター縦枠１１の室内連結部１１４は室内対向部３１ｃにより火炎から遮られるので溶融しにくい。このため、シャッターボックス２０が躯体５から離れる方向に垂れることをより抑制することができる。
また、室内連結部１１４は内部材３１のみならず当て板１６にも補強されるので、シャッターボックス２０の垂れを更に抑制することができる。
【００４４】
また、外部材３５を介してシャッターボックス２０が取り付けられている内部材３１が中空部１１ｂの上端縁１１１ｂと上下方向に対向する上縁延出部３１ｄを有しているので、取付部材３０とシャッター縦枠１１とを固定している部分が損傷したとしても、上縁延出部３１ｄが中空部１１ｂの上端縁１１１ｂに載置されることによりシャッターボックス２０を支持することができる。また、内部材３１は、上縁延出部３１ｄを有しているので、内部材３１をシャッター縦枠１１に取り付ける際に、上縁延出部３１ｄを中空部の上端縁に掛けて、内部材３１から手を離すことができる。このため、内部材３１をシャッター縦枠１１に容易に固定することができる。
【００４５】
また、一対のシャッター縦枠１１、シャッター上枠１２およびルーフ板１４により囲まれた室内側開口１０ａを躯体５側にて覆う閉塞板１５は、内部材３１とともに室内連結部１１４に固定される当て板１６の、一対のシャッター縦枠１１間の中央側に突出する当て板突出部１６ａに固定されるので、工場等により予めシャッターボックス２０やシャッター縦枠１１等と一体に固定してユニット化しておくことができる。このため、現場において閉塞板１５を取り付ける必要がないので施工が容易である。また、予め取り付けておくので、現場において当て板１６を取り付け忘れることを防止することができる。
【００４６】
上記実施形態においては、内部材３１が中空部１１ｂ内に配置されたときに、内見込壁部１１１の上端縁１１１ｂと上下方向に対向するように上縁延出部３１ｄが設けられている例について説明したが、上縁延出部３１ｄは必ずしも設けられていなくとも構わない。
【００４７】
また、上記実施形態においては、取付部材３０が内部材３１と外部材３５とを備えている例について説明したが、取付部材３０は、図５に示すように、内見込壁部１１１に当接されて固定される当接板部３５ａと、室内連結部１１４の室内側に当接されて固定される室内当接部３５ｆと、シャッターボックス２０が取り付けられる上取付部３５ｄ及び下取付部３５ｅを備えていれば、外部材に相当する一部材だけで構成されていても構わない。
【００４８】
また、シャッター縦枠１１０が中空部を備えていない場合には、図６に示すように、シャッター縦枠１１０の見込壁部１１０ａにおいて取付部材５０の当接板部５０ａが固定される部位より室内側に、内中側に突出する突出部１１０ｂがシャッター縦枠１１０に備えており、取付部材５０が見込壁部１１０ａに固定される当接板部５０ａと、交差面１１０ｃを形成する突出部１１０ｂに固定される室内対向部５０ｂと、シャッターボックス２０が取り付けられる上取付部５０ｃおよび下取付部５０ｄを備えていれば、外部材に相当する一部材だけで構成されていても構わない。
上記実施形態においては、各部材をビスにて固定または接合する例について説明したが、例えばリベットなどの固定具により固定しても良い。
【００４９】
上記実施形態においては、取付部材３０、５０を鉄製としたが、これに限らず、アルミニウムよりも耐火性に優れた部材により形成されていれば構わない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  シャッター、５  躯体、１０  シャッター枠、１０ａ  室内側開口、
１１  シャッター縦枠、１１ｂ  中空部、１２  上枠、１４  ルーフ板、
１５  閉塞板、１６  当て板、１６ａ  当て板突出部、２０  シャッターボックス、
２１  シャッターカーテン、２２  巻付軸、３０  取付部材、３１  内部材、
３１ｄ  上縁延出部、３５  外部材、  ５０  取付部材、５０ａ  当接板部、
１１０  シャッター縦枠、１１０ａ  見込壁部、１１０ｂ  突出部、
１１１  内見込壁部、１１１ｂ  上端縁、１１４  室内連結部
【図１】
0006410561.tif 000002
【図２】
0006410561.tif 000003
【図３】
0006410561.tif 000004
【図４】
0006410561.tif 000005
【図５】
0006410561.tif 000006
【図６】
0006410561.tif 000007